(57)【要約】【課題】瓦が薄くても厚くても、脚体を一箇所で折曲げるのみで保持環の高さを調節して這樋を保持、固定できる、施工性の良い這樋固定具を提供する。【解決手段】這樋を保持する開閉可能な保持環１に、この保持環１の軸線Ｌ方向と直角方向に延びる折曲げ可能な帯状の脚体２を固着した構成の這樋固定具とする。脚体２を上下の瓦の重なり部分に挿入して一箇所で上方に略直角に折曲げることにより、保持環１を起立させて瓦の厚さに応じた高さに調節し、這樋を保持環で固定できるので、施工性が良い。【選択図】  図１
2004293066.tif 000002
【特許請求の範囲】
【請求項１】
這樋を保持する開閉可能な保持環に、この保持環の軸線方向と直角方向に延びる折曲げ可能な帯状の脚体が固着されていることを特徴とする這樋固定具。
【請求項２】
保持環が、脚体の固着された下側半環体と、この下側半環体の一端部に開閉可能に取付けられた上側半環体からなるものであって、下側半環体の他端部に形成された係止爪が上側半環体の他端部に形成された孔に外側から係止されていることを特徴とする請求項１に記載の這樋固定具。
【請求項３】
下側半環体の中央部内面に、這樋を上側半環体に押付ける凸部が形成されていることを特徴とする請求項２に記載の這樋固定具。
【請求項４】
脚体に、下側半環体の中央部内面又は底面からの距離を示す目盛りが形成されていることを特徴とする請求項２に記載の這樋固定具。
【発明の詳細な説明】
【０００１】
【発明の属する技術分野】
本発明は、施工性の良好な這樋固定具に関する。
【０００２】
【従来の技術】
従来より、屋根の傾斜に沿って這樋を固定する這樋固定具として、例えば図６に示すような構造の這樋固定具が知られている。この這樋固定具は、這樋を保持する開閉可能な保持環１０１に、該保持環１０１の軸線方向Ｌと平行な方向に延びる折曲げ可能な帯状の脚体１０２を固着したものであって、図７に示すように、上下の瓦１０３，１０３の重なり部分に脚体１０２を挿入固定すると共に、這樋１０４を保持環１０１で保持させることにより、屋根の傾斜に沿って這樋１０４を取付け固定するものである。
【０００３】
【発明が解決しようとする課題】
しかしながら、この這樋固定具は、保持環１０１の下部の厚さｔよりも瓦１０３の厚さの方が薄い場合には、上記の要領で這樋１０４を固定できるけれども、瓦１０３の厚さが保持環１０１の下部の厚さｔよりも厚い場合には、図８に示すように脚体１０２を二箇所で段状に折曲げて保持環１０１の高さを調節しなければ、這樋１０４を保持環１０１で保持させることができないため、施工性があまり良くないという問題があった。
【０００４】
本発明は上記の問題に対処すべくなされたもので、その目的とするところは、瓦が薄くても厚くても、脚体を一箇所で折曲げるのみで保持環の高さを調節して這樋を保持、固定できる、施工性の良い這樋固定具を提供することにある。
【０００５】
【課題を解決するための手段】
上記目的を達成するため、本発明の這樋固定具は、這樋を保持する開閉可能な保持環に、この保持環の軸線方向と直角方向に延びる折曲げ可能な帯状の脚体が固着されていることを特徴とする。
【０００６】
斯かる這樋固定具は、上下の瓦の重なり部分に脚体を挿入すると共に、該脚体を一箇所で上方に略直角に折曲げることにより、保持環を起立させて瓦の厚さに応じた高さに調節し、這樋を保持環に保持させて固定することができるので、施工性が良好である。
【０００７】
本発明の這樋固定具においては、その保持環が、脚体の固着された下側半環体と、この下側半環体の一端部に開閉可能に取付けられた上側半環体からなるものであって、下側半環体の他端部に形成された係止爪が上側半環体の他端部に形成された孔に外側から係止されていることが望ましい。この保持環のように下側半環体の係止爪が上側半環体の孔に外側から係止されていると、外力によって保持環が弾性的に歪んだときでも、孔から係止爪が抜出し難いため、上側半環体が開いて這樋が外れるのを防止することができる。
【０００８】
また、本発明の這樋固定具においては、下側半環体の中央部内面に、這樋を上側半環体に押付ける凸部を形成することが望ましい。このような凸部が形成されていると、這樋を上側半環体に押付けてガタツキなく保持、固定することができる。
【０００９】
更に、本発明の這樋固定具においては、その脚体に、下側半環体の中央部内面又は底面からの距離を示す目盛りを形成することが望ましい。このような目盛りが形成されていると、瓦の厚さに対応した目盛りのところで脚体を折曲げることにより、保持環の高さ調節を簡単かつ正確に行うことができる。
【００１０】
【発明の実施の形態】
以下、図面を参照して本発明の具体的な実施形態を詳述する。
【００１１】
図１（ａ）及び（ｂ）は本発明の一実施形態に係る這樋固定具の正面図及び右側面図、図２は同這樋固定具の保持環を開いた状態の部分正面図、図３は図１（ｂ）におけるＡ−Ａ線部分断面図、図４及び図５はいずれも同這樋固定具の使用状態の説明図である。
【００１２】
この這樋固定具は、這樋を保持する開閉可能な略方形環状の保持環１に、該保持環１の軸線方向Ｌと直角方向に延びる折曲げ可能な帯状の脚体２を固着したものである。
【００１３】
略方形環状の保持環１は、ポリカーボネート樹脂、アクリロニトリル−ブタジエン−スチレン共重合体（ＡＢＳ樹脂）、アクリロニトリル−エチレン−スチレン共重合体（ＡＥＳ樹脂）、アクリロニトリル−スチレン共重合体（ＡＳ樹脂）、アクリロニトリル−スチレン−アクリルゴム共重合体（ＡＳＡ樹脂）、ポリプロピレン樹脂、ポリ塩化ビニル樹脂などの熱可塑性樹脂で成形された浅いＵ字状の下側半環体１ａと、同じく熱可塑性樹脂で成形された深い逆Ｕ字状の上側半環体１ｂからなるものであって、図２に示すように、下側半環体１ａの一端部（図では左端部）に上側半環体１ｂが開閉可能に取付けられている。即ち、この下側半環体１ａの一端部には、側方へ突き出す略Ｃ字形の係合突起１ｃが形成されており、この係合突起１ｃを上側半環体１ｂの一端部に形成された被係合孔１ｄ（図２，図３参照）に係合させることによって、上側半環体１ｂが開閉可能に取付けられている。
【００１４】
そして、下側半環体１ａの他端部と上側半環体１ｂの他端部には、内方へ突き出す係止爪１ｅと、該係止爪１ｅの嵌り込む孔１ｆがそれぞれ形成されており、図３に示すように上側半環体１ｂを閉じると、係止爪１ｅが外側から孔１ｆに嵌り込んで、上側半環体１ｂが開かないようにロックされた状態となる。尚、この係止爪１ｅの内側面は斜面とされているため、上側半環体１ｂを閉じたときに孔１ｆに嵌り込みやすくなっている。
【００１５】
ところで、係止爪１ｅが外方へ突き出して形成され、内側から孔１ｆに嵌り込む構造とされている場合は、上側半環体１ｂに外力［特に一端側から他端側に向かう外力Ｐ（図では右向きの外力）］が作用したとき、上側半環体１ｂが保持された這樋と共に弾性的に歪みを生じ、上側半環体１ｂが外方向に拡開して孔１ｆが係止爪１ｅから外れやすく、上側半環体１ｂが開く恐れが多分にある。けれども、この保持環１のように係止爪１ｅが外側から孔１ｆに嵌り込んで係止する構造とされている場合は、上記の外力Ｐによって、上側半環体１ｂが保持された這樋と共に歪みを生じて拡開しようとしても、上側半環体１ｂの他端部が下側半環体１ａの他端部に当接して孔１ｆから係止爪１ｅが外れることがないので、上側半環体１ｂが開く心配はなくなる。特に、下側半環体１ａが浅いＵ字状に形成されているので、この他端部が外方へ変形する恐れがなく、上側半環体１ｂが開くことはない。また、保持環１に保持される這樋によって上側半環体１ｂの他端部が内側に変形することがないので、孔１ｆが係止爪１ｅから外れることがない。従って、この保持環１は、外力によって上側半環体１ｂの開く恐れがないため、確実に這樋を保持することができる。
【００１６】
上記の下側半環体１ａの中央部内面（上面）には、這樋を上側半環体１ｂに押付ける環状の凸部１ｇが形成されている。そのため、図２、図３に示すように上側半環体１ｂを開いて、這樋４を下側半環体１ａの内側に嵌め込み、そのまま上側半環体１ｂを閉じると、環状の凸部１ｇにより這樋４が下方から上側半環体１ｂに押付けられて、ガタツキなく保持されるようになっている。この凸部１ｇは、特に這樋４と保持環１とが共にある程度の寸法範囲を有するので、這樋４の壁を内方へ凹ませて、これらの寸法範囲を吸収するのに有効に働く。なお、凸部１ｇは下側半環体１ａの中央部内面のみに限定されることなく、上側半環体１ｂの中央部内面や側部内面に設けても同様な効果を有する。
【００１７】
また、この下側半環体１ａの中央部には下方へ突き出す首部１ｈが形成され、この首部１ｈの中心にピン挿通孔１ｉが穿設されている。そして、リベット３を該ピン挿通孔１ｉと脚体２の端部２ａに挿通してかしめることにより、上記の脚体２が保持環１の下側半環体１ａに固着されている。
【００１８】
この脚体２は、折曲げ可能な鉄、アルミニウム等の金属製の帯状の脚体であって、図１（ｂ）に示すように保持環１の軸線方向Ｌと直角方向に延びており、リベット３で固着される脚体２の端部２ａは直角に折曲げられている。そして、この脚体２には目盛り２ｂが設けられている。この目盛り２ｂは、下側半環体１ａの中央部内面又は底面（首部１ｈの下面）からの距離を示したもので、瓦の厚さに対応して予め脚体２を折曲げ、その後に脚体２を上下の瓦の重なり部分に挿入するときに役立つものである。
【００１９】
上記構成の這樋固定具は、その脚体２が保持環１の軸線方向Ｌと直角方向に延びているため、図４に示すように瓦５が薄い場合でも、図５に示すように瓦５が厚い場合でも、上下の瓦５の重なり部分に脚体２を挿入して該脚体２を適当な一箇所で上方に略直角に折曲げることにより、保持環１を起立させて瓦５の厚さに応じた高さに調節し、この保持環１に這樋４を前述の要領でガタツキなく保持させて固定することができる。従って、従来の這樋固定具よりも施工性が良好である。そして、脚体２には目盛り２ｂが形成されているので、瓦の厚さに対応した目盛りのところで脚体２を折曲げることにより、保持環１の高さ調節を簡単かつ正確に行うことができる。また、既述したように保持環１に外力が作用しても、上側半環体１ｂの孔１ｆから下側半環体１ａの係止爪１ｅが抜出して上側半環体１ｂが開く心配が皆無に等しいので、確実に這樋５を保持、固定することができる。
【００２０】
尚、上記の這樋固定具は、角這樋を固定する場合を想定して保持環１を略方形環状に形成しているが、丸這樋を固定する場合は保持環１を円環状に形成すればよく、このように本発明の這樋固定具は種々の設計的な変更を許容し得るものである。
【００２１】
【発明の効果】
以上の説明から明らかなように、本発明の這樋固定具は、瓦が薄くても厚くても、脚体を一箇所で略直角に折曲げて保持環を瓦の厚さに応じた高さに調節し、這樋を保持環に保持させて固定できるので、施工性が向上するといった効果を奏する。そして、上側半環体の孔に保持環の下側半環体の係止爪を外側から係止させたものは、外力を受けたときに保持環が開いて這樋が外れるのを防止することができ、下側半環体の中央部内面に凸部を形成したものは、這樋をガタツキなく保持、固定することができ、脚体に目盛りを形成したものは、保持環の高さ調節を簡単かつ正確に行うことができる、といった効果を併せて奏する。
【図面の簡単な説明】
【図１】（ａ）は本発明の一実施形態に係る這樋固定具の正面図、（ｂ）は同這樋固定具の右側面図である。
【図２】同這樋固定具の保持環を開いた状態の部分正面図である。
【図３】図１（ｂ）におけるＡ−Ａ線部分断面図である。
【図４】同這樋固定具の使用状態の説明図であって、薄い瓦を葺いた屋根に使用する場合を示したものである。
【図５】同這樋固定具の使用状態の説明図であって、厚い瓦を葺いた屋根に使用する場合を示したものである。
【図６】従来の這樋固定具の側面図である。
【図７】従来の這樋固定具の使用状態の説明図であって、薄い瓦を葺いた屋根に使用する場合を示したものである。
【図８】従来の這樋固定具の使用状態の説明図であって、厚い瓦を葺いた屋根に使用する場合を示したものである。
【符号の説明】
１  保持環
１ａ  下側半環体
１ｂ  上側半環体
１ｅ  係止爪
１ｆ  孔
１ｇ  凸部
２  脚体
２ｂ  目盛り
４  這樋
Ｌ  保持環の軸線方向
【図１】
2004293066.tif 000003
【図２】
2004293066.tif 000004
【図３】
2004293066.tif 000005
【図４】
2004293066.tif 000006
【図５】
2004293066.tif 000007
【図６】
2004293066.tif 000008
【図７】
2004293066.tif 000009
【図８】
2004293066.tif 000010